(57)【特許請求の範囲】
【請求項１】
主配線基板上に固定される絶縁ハウジングと各々が上記主配線基板に設けられた配線端子部に接続される基板接続部を有して上記絶縁ハウジングに配された複数のコンタクトとを備えた基板側コネクタと、
板状部材本体と該板状部材本体に重ねられた補強部材とを含んで成り、複数の接触配線端子部と上記基板側コネクタに係合する係合部とが設けられ、上記係合部が形成する嵌合孔が上記板状部材本体と上記補強部材との両者を貫通するものとされた配線板状部材と、を含んで構成され、
上記基板側コネクタにおける複数のコンタクトの夫々が上記絶縁ハウジングの外面部からその外部に突出する接触係合部を有し、
上記配線板状部材における嵌合孔が上記絶縁ハウジングの外周に嵌合するものとして形成されていて、該嵌合孔の周囲に上記複数の接触配線端子部が配され、
上記板状部材本体が、上記嵌合孔を形成する板状部材貫通孔が設けられるとともに、該板状部材貫通孔の周囲に上記複数の接触配線端子部が配置された端子配置部が設けられたものとされ、上記補強部材が、上記板状部材貫通孔と共に上記嵌合孔を形成する補強部材貫通孔が設けられて、上記端子配置部の一部分が上記補強部材貫通孔に臨む位置をとるものとされ、
上記嵌合孔が上記絶縁ハウジングの外周に嵌合したとき、上記板状部材本体における上記端子配置部の一部分が上記補強部材貫通孔内へと屈曲せしめられ、上記複数の接触配線端子部の夫々が上記端子配置部の一部分において上記複数のコンタクトの各々が有する上記接触係合部に接触接続される、
ことを特徴とする配線端子接続装置。
【請求項２】
上記板状部材本体における対を成す相互平行面である第１及び第２の面のうちの第２の面に上記複数の接触配線端子部が設けられるとともに、上記第１及び第２の面のうちの第１の面に上記補強部材が配されることを特徴とする請求項１記載の配線端子接続装置。
【請求項３】
上記配線板状部材における上記嵌合孔が上記絶縁ハウジングの外周に嵌合せしめられるとき、上記板状部材本体における上記第２の面が、上記絶縁ハウジングが固定された上記主配線基板に対面せしめられることを特徴とする請求項２記載の配線端子接続装置。
【請求項４】
上記基板側コネクタが、上記配線板状部材における上記嵌合孔が上記絶縁ハウジングの外周に嵌合せしめられたとき該嵌合孔内に配される部分から突出するものとして設けられ、上記配線板状部材における上記嵌合孔の周囲部分に係合して上記配線板状部材を係止する係止部を備えることを特徴とする請求項１記載の配線端子接続装置。
【請求項５】
上記配線板状部材の補強部材が、該補強部材における上記嵌合孔の周囲部分に、上記基板側コネクタが備える係止部が係合する係合凹部が形成されていることを特徴とする請求項４記載の配線端子接続装置。
【請求項６】
上記基板側コネクタが、上記絶縁ハウジングを上記主配線基板に固定する固定金属部材を備え、該固定金属部材に上記係止部が弾性を伴ったものとして設けられることを特徴とする請求項４記載の配線端子接続装置。
【発明の詳細な説明】
【技術分野】
【０００１】
本願の特許請求の範囲に記載された発明は、フレキシブル印刷配線基板（ＦＰＣ）等の配線板状部材が主配線基板に対面近接して重ね合わせられるもとで、配線板状部材に設けられた部材側配線端子部を主配線基板に設けられた基板側配線端子部に接続された状態をとらせる配線端子接続装置に関する。
【背景技術】
【０００２】
各種の電子機器に実装される比較的小型なフレキシブル印刷配線基板等の配線板状部材は、各種の電気部品が取り付けられる主配線基板との電気的連結が、電子機器内におけるスペース上の制約等から、主配線基板に対して対面近接して重ね合わせられるようにして行われざるを得ないものとされることが少なくない。このような配線板状部材と主配線基板とのような板状部材の組についての一方が他方に対面近接して重ね合わせられる連結態様を、以下においては対面近接重ね合わせ連結ということとする。
【０００３】
フレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するに際して、従来にあっては、主配線基板に基板側コネクタを取り付けるとともに、配線板状部材に板状部材側コネクタを取り付け、板状部材側コネクタを基板側コネクタに接続することにより、配線板状部材に設けられた部材側配線端子部を、板状部材側コネクタ及び基板側コネクタを介して、主配線基板に設けられた基板側配線端子部との電気的連結状態におくことができる基板連結機構が提案されている（例えば、特許文献１あるいは特許文献２参照。）。
【０００４】
特許文献１に示される基板連結機構にあっては、主配線基板（プリント配線基板(2))に、その主配線基板に配された複数の基板側配線端子部（ランドパターン）に夫々半田接続された複数のコンタクト(112) を有する基板側コネクタ（相手側コネクタ（110)) が立設され、また、平行配列された複数の部材側配線端子部（端子部(1b)) が設けられた配線板状部材（フレキシブル基板(1))に、基板側コネクタに嵌合接続される絶縁ベースハウジング(20)と絶縁カバーハウジング(30)とを有した板状部材側コネクタ（プリント配線基板用コネクタ(10)) が取り付けられる。配線板状部材に板状部材側コネクタが取り付けられるにあたっては、配線板状部材が、複数の部材側配線端子部に沿って屈曲せしめられた状態をもって、絶縁ベースハウジング(20)と絶縁カバーハウジング(30)との間に挟まれて保持され、複数の部材側配線端子部が絶縁ベースハウジング(20)上に露出する状態におかれる。
【０００５】
そして、板状部材側コネクタが取り付けられた配線板状部材が、基板側コネクタが立設された主配線基板に、板状部材側コネクタを基板側コネクタに対向する位置をとるものとしたもとで対面近接せしめられて、板状部材側コネクタが基板側コネクタに嵌合接続せしめられる。その際、板状部材側コネクタにおいて絶縁ベースハウジング(20)上に露出する配線板状部材における複数の部材側配線端子部が、基板側コネクタにおける複数のコンタクト(112) に夫々直接的に接触接続される。それにより、配線板状部材が対面近接重ね合わせ連結によって主配線基板に電気的に連結され、配線板状部材に配された複数の部材側配線端子部が主配線基板に配された複数の基板側配線端子部に夫々接続された状態におかれる。
【０００６】
このような特許文献１に示される基板連結機構によれば、配線板状部材に取り付けられる板状部材側コネクタを、主配線基板に立設される基板側コネクタとの電気的接続のためのコンタクトを備える必要がないものとすることができる。
【０００７】
また、特許文献２に示される基板連結機構にあっては、主配線基板（回路基板(P))に、その主配線基板に配された基板側配線端子部（対応回路部) に半田接続された複数の端子(34)を有する基板側コネクタ（相手コネクタ（30))が取り付けられ、また、配線板状部材（フレキシブル基板(F))に、その配線板状部材に配された部材側配線端子部（対応回路部）に半田接続された複数の端子(12)を有する板状部材側コネクタ（コネクタ(10)) が取り付けられる。基板側コネクタにおける外側面部には、複数の端子(34)の接触部(35)が配列配置されて外部に臨んでいる。さらに、板状部材側コネクタには、基板側コネクタの外周に嵌合する孔部(14)が設けられており、この孔部(14)には、板状部材側コネクタにおける複数の端子(12)の接触部(12B1)が配列配置されて臨んでいる。板状部材側コネクタが配線板状部材に取り付けられたもとにあっては、板状部材側コネクタに設けられた孔部(14)の一対の開口のうちの一方は配線板状部材によって塞がれている。
【０００８】
そして、板状部材側コネクタが取り付けられた配線板状部材が、基板側コネクタが取り付けられた主配線基板に、板状部材側コネクタに設けられた孔部(14)を基板側コネクタに対向する位置をとるものとしたもとで対面近接せしめられて、板状部材側コネクタが、その孔部(14)を基板側コネクタの外周に嵌合させて、基板側コネクタに嵌合接続せしめられる。その際、板状部材側コネクタにおいて孔部(14)に臨むものとして配列配置された複数の端子(12)の接触部(12B1)が、基板側コネクタにおける外側面部に外部に臨むものとして配列配置された複数の端子(34)の接触部(35)に夫々直接的に接触接続される。それにより、配線板状部材が対面近接重ね合わせ連結によって主配線基板に電気的に連結され、配線板状部材に配された複数の部材側配線端子部が主配線基板に配された複数の基板側配線端子部に夫々接続された状態におかれる。
【先行技術文献】
【特許文献】
【０００９】
【特許文献１】特開平９−３１２１８３号公報（４〜５頁，図１〜４, ９〜１１）
【特許文献２】特開２００７−２５８００１号公報（４〜６頁，図１〜４）
【発明の概要】
【発明が解決しようとする課題】
【００１０】
上述のような、フレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するためのものとして従来提案されている、特許文献１に記載された基板連結機構が用いられる場合においては、板状部材側コネクタが取り付けられた配線板状部材が、基板側コネクタが立設された主配線基板に、対面近接重ね合わせ連結によって電気的に連結された状態におかれたとき、主配線基板上において基板側コネクタと板状部材側コネクタとが重ねられることになる。そのため、主配線基板と配線板状部材との間の間隔が比較的大とされ、主配線基板と配線板状部材とそれらの間の基板連結機構とを含んだ全体の薄型化に支障が来されることになってしまう。
【００１１】
さらに、特許文献１に記載された基板連結機構が用いられる場合には、板状部材側コネクタが取り付けられた配線板状部材を、対面近接重ね合わせ連結によって基板側コネクタが立設された主配線基板に電気的に連結するにあたり、配線板状部材を主配線基板に対面近接させて板状部材側コネクタを基板側コネクタに嵌合接続する過程においては、板状部材側コネクタ及び基板側コネクタのいずれもが、配線板状部材によって覆われて、配線板状部材の背後から目視することができないものとなってしまう。そのため、板状部材側コネクタを基板側コネクタに嵌合接続するにあたっての作業性が極めて悪く、板状部材側コネクタが取り付けられた配線板状部材の基板側コネクタが立設された主配線基板に対する対面近接重ね合わせ連結を確実に行うこと、さらには、配線板状部材の主配線基板に対する対面近接重ね合わせ連結が確実に行われたことを確認することが困難となってしまう。
【００１２】
それに加えて、特許文献１に記載された基板連結機構には、板状部材側コネクタが基板側コネクタに嵌合接続された状態を維持するための手段が備えられていないので、板状部材側コネクタが取り付けられた配線板状部材が基板側コネクタが立設された主配線基板に対面近接重ね合わせ連結によって電気的に接続された状態を安定に維持することが困難とされるという不都合もある。
【００１３】
また、同じくフレキシブル印刷配線基板等の配線板状部材に設けられた部材側配線端子部を主配線基板に設けられた基板側配線端子部に接続された状態とすべく、配線板状部材を対面近接重ね合わせ連結によって主配線基板に電気的に連結するためのものとして従来提案されている、特許文献２に記載された基板連結機構が用いられる場合には、配線板状部材に取り付けられる板状部材側コネクタが、主配線基板に取り付けられる基板側コネクタの外周に嵌合する孔部が設けられたものとされることにより、配線板状部材が主配線基板に対面近接重ね合わせ連結によって電気的に連結された状態におかれたとき、主配線基板上において基板側コネクタと板状部材側コネクタとが重ねられることにはならない。それにより、主配線基板と配線板状部材とそれらの間の基板連結機構とを含んだ全体の薄型化に支障が来される事態を回避することが可能とされる。
【００１４】
しかしながら、特許文献２に記載された基板連結機構が用いられる場合にあっても、板状部材側コネクタが取り付けられた配線板状部材を、対面近接重ね合わせ連結によって基板側コネクタが取り付けられた主配線基板に電気的に連結するにあたり、配線板状部材を主配線基板に対面近接させて、板状部材側コネクタに設けられた孔部を基板側コネクタの外周に嵌合させる過程においては、板状部材側コネクタ及び基板側コネクタのいずれもが、配線板状部材によって覆われて、配線板状部材の背後から目視することができないものとなってしまう。そのため、板状部材側コネクタに設けられた孔部を基板側コネクタの外周に嵌合させるにあたっての作業性が極めて悪く、板状部材側コネクタが取り付けられた配線板状部材の基板側コネクタが取り付けられた主配線基板に対する対面近接重ね合わせ連結を確実に行うこと、さらには、配線板状部材の主配線基板に対する対面近接重ね合わせ連結が確実に行われたことを確認することが困難となってしまう不都合があることについては、上述の特許文献１に記載された基板連結機構が用いられる場合と同様である。
【００１５】
さらに、特許文献２に記載された基板連結機構にも、板状部材側コネクタに設けられた孔部が基板側コネクタの外周に嵌合した状態を維持するための手段が備えられていないので、板状部材側コネクタが取り付けられた配線板状部材が基板側コネクタが取り付けられた主配線基板に対面近接重ね合わせ連結によって電気的に接続された状態を安定に維持することが困難とされるという不都合があることについても、上述の特許文献１に記載された基板連結機構が用いられる場合と同様である。
【００１６】
斯かる点に鑑み、本願の特許請求の範囲に記載された発明は、フレキシブル印刷配線基板等の配線板状部材に設けられた配線端子部を主配線基板に設けられた配線端子部に接続された状態とすべく、配線板状部材を対面近接重ね合わせ連結によって主配線基板に電気的に連結するための基板連結機構を成すものであって、主配線基板と配線板状部材とを含んだ全体の構成の薄型化を図ることができ、かつ、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができ、しかも、配線板状部材が主配線基板に対面近接重ね合わせ連結によって電気的に接続された状態が安定に維持されるようにすることも可能とされた配線端子接続装置を提供する。
【課題を解決するための手段】
【００１７】
本願の特許請求の範囲における請求項１から請求項６までのいずれかに記載された発明（以下、本発明という。）に係る配線端子接続装置は、主配線基板上に固定される絶縁ハウジングと各々が主配線基板に設けられた配線端子部に接続される基板接続部を有して絶縁ハウジングに配された複数のコンタクトとを備えた基板側コネクタと、板状部材本体と該板状部材本体に重ねられた補強部材とを含んで成り、複数の接触配線端子部と基板側コネクタに係合する係合部とが設けられ、係合部が形成する嵌合孔が板状部材本体と補強部材との両者を貫通するものとされた配線板状部材と、を含んで構成される。そして、基板側コネクタにおける複数のコンタクトの夫々が絶縁ハウジングの外面部からその外部に突出する接触係合部を有し、配線板状部材における嵌合孔が絶縁ハウジングの外周に嵌合するものとして形成されていて、嵌合孔の周囲に複数の接触配線端子部が配され、板状部材本体が、嵌合孔を形成する板状部材貫通孔が設けられるとともに、板状部材貫通孔の周囲に複数の接触配線端子部が配置された端子配置部が設けられたものとされ、補強部材が、板状部材貫通孔と共に嵌合孔を形成する補強部材貫通孔が設けられて、端子配置部の一部分が補強部材貫通孔に臨む位置をとるものとされたもとで、嵌合孔が基板側コネクタにおける絶縁ハウジングの外周に嵌合したとき、板状部材本体における端子配置部の一部分が補強部材貫通孔内へと屈曲せしめられ、複数の接触配線端子部の夫々が端子配置部の一部分において複数のコンタクトの各々が有する接触係合部に接触接続されることを特徴とするものとされる。
【００１８】
特に、本発明のうちの請求項４に記載されたものに係る配線端子接続装置にあっては、配線板状部材が板状部材本体とそれに重ねられた補強部材とを含んで成り、係合部が形成する嵌合孔が板状部材本体と補強部材との両者を貫通するものとして設けられたもとで、基板側コネクタに配線板状部材を係止する係止部が備えられ、その係止部が、配線板状部材における嵌合孔が絶縁ハウジングの外周に嵌合せしめられたとき当該嵌合孔内に配される基板側コネクタの部分から突出して、配線板状部材における嵌合孔の周囲部分に係合するものとして設けられる。
【００１９】
上述のような本発明に係る配線端子接続装置にあっては、例えば、フレキシブル印刷配線基板とされる配線板状部材が、板状部材本体と該板状部材本体に重ねられた補強部材とを含んで構成され、基板側コネクタに係合する係合部が形成する嵌合孔を有し、板状部材本体が、嵌合孔を形成する板状部材貫通孔が設けられるとともに、板状部材貫通孔の周囲に複数の接触配線端子部が配置された端子配置部が設けられたものとされ、補強部材が、板状部材貫通孔と共に嵌合孔を形成する補強部材貫通孔が設けられて、端子配置部の一部分が補強部材貫通孔に臨む位置をとるものとされたもとで、主配線基板に対面近接せしめられて、嵌合孔が主配線基板上に固定された基板側コネクタが備える絶縁ハウジングの外周に嵌合せしめられる。そして、このとき、配線板状部材における嵌合孔の周囲に配された複数の接触配線端子部の夫々が、補強部材貫通孔内へと屈曲せしめられた板状部材本体における端子配置部の一部分において、基板側コネクタにおける各々が主配線基板に設けられた配線端子部に接続される基板接続部と絶縁ハウジングの外面部から外部に突出する接触係合部とを有した複数のコンタクトの各々の接触係合部に、接触接続される。それにより、配線板状部材に設けられた複数の接触配線端子部と基板側コネクタにおける複数のコンタクトとが相互接続されて、配線板状部材に設けられた複数の接触配線端子部が、基板側コネクタを介して、主配線基板に設けられた複数の配線端子部に夫々接続されることになり、配線板状部材は、それに設けられた複数の接触配線端子部を主配線基板に設けられた複数の配線端子部に夫々接続された状態とすべく、対面近接重ね合わせ連結によって主配線基板に電気的に連結されたものとされる。
【００２０】
配線板状部材が主配線基板に対面近接せしめられて、配線板状部材に設けられた係合部が形成する嵌合孔が主配線基板上に固定された基板側コネクタが備える絶縁ハウジングの外周に嵌合せしめられる際には、配線板状部材に設けられた嵌合孔を通じて、主配線基板上に固定された基板側コネクタが備える絶縁ハウジングを、容易かつ明瞭に目視により観察することが可能とされる。即ち、配線板状部材に設けられた係合部が形成する嵌合孔と主配線基板上に固定された基板側コネクタが備える絶縁ハウジングとの両者を直接的に目視により観察しつつ、配線板状部材における嵌合孔を基板側コネクタが備える絶縁ハウジングの外周に嵌合させることができることになる。
【００２１】
特に、本発明のうちの請求項４に記載されたものに係る配線端子接続装置にあっては、配線板状部材に設けられた係合部が形成する嵌合孔が主配線基板上に固定された基板側コネクタが備える絶縁ハウジングの外周に嵌合せしめられたときには、基板側コネクタに備えられた係止部が、絶縁ハウジングの外周に嵌合した配線板状部材における嵌合孔内から突出し、配線板状部材における嵌合孔の周囲部分に係合して配線板状部材を係止する。
【発明の効果】
【００２２】
本発明に係る配線端子接続装置にあっては、フレキシブル印刷配線基板等の配線板状部材に設けられた接触配線端子部を主配線基板に設けられた配線端子部に接続するための、配線板状部材が主配線基板に対面近接重ね合わせ連結によって電気的に接続された状態が、配線板状部材に設けられた係合部が形成する嵌合孔が主配線基板上に固定された基板側コネクタが備える絶縁ハウジングの外周に嵌合せしめられることによりとられるので、基板側コネクタを備えた主配線基板と嵌合孔を形成する係合部が設けられた配線板状部材とを含んだ全体の構成の薄型化を図ることができることになる。
【００２３】
また、本発明に係る配線端子接続装置によれば、フレキシブル印刷配線基板等の配線板状部材に設けられた接触配線端子部を主配線基板に設けられた配線端子部に接続された状態とすべく、配線板状部材を主配線基板に対面近接させて、配線板状部材に設けられた係合部が形成する嵌合孔を主配線基板上に固定された基板側コネクタが備える絶縁ハウジングの外周に嵌合させるにあたり、配線板状部材に設けられた嵌合孔を通じて、主配線基板上に固定された基板側コネクタが備える絶縁ハウジングを、容易かつ明瞭に目視により観察することが可能とされるので、配線板状部材に設けられた係合部が形成する嵌合孔と主配線基板上に固定された基板側コネクタが備える絶縁ハウジングとの両者を直接的に目視により観察しつつ、配線板状部材における嵌合孔を基板側コネクタが備える絶縁ハウジングの外周に嵌合させることができる。その結果、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができることになる。
【００２４】
さらに、本発明のうちの請求項４に記載されたものに係る配線端子接続装置によれば、配線板状部材に設けられた係合部が形成する嵌合孔が主配線基板上に固定された基板側コネクタが備える絶縁ハウジングの外周に嵌合せしめられると、基板側コネクタに備えられ係止部が、絶縁ハウジングの外周に嵌合した配線板状部材における嵌合孔内から突出し、配線板状部材における嵌合孔の周囲部分に係合して配線板状部材を係止するので、配線板状部材が主配線基板に対面近接重ね合わせ連結によって電気的に接続された状態が、堅固かつ安定に維持されることになる。
【図面の簡単な説明】
【００２５】
【図１】本発明に係る配線端子接続装置の一例を構成する主配線基板に固定された絶縁ハウジングを備えた基板側コネクタと配線板状部材とを示す斜視図である。
【図２】図１に示される配線板状部材を構成する板状部材本体と補強部材とを示す斜視図である。
【図３】図２に示される板状部材本体における複数の接触配線端子部が設けられた面を示す斜視図である。
【図４】図１に示される基板側コネクタと配線板状部材とについての、基板側コネクタに対して配線板状部材が嵌合接続される直前の状態を示す断面図である。
【図５】図１に示される基板側コネクタと配線板状部材とについての、基板側コネクタに対して配線板状部材が嵌合接続される直前の状態を部分的に示す部分断面図である。
【図６】図１に示される基板側コネクタと配線板状部材とについての、基板側コネクタに対して配線板状部材が嵌合接続された状態を示す斜視図である。
【図７】図１に示される基板側コネクタと配線板状部材とについての、基板側コネクタに対して配線板状部材が嵌合接続された状態を示す断面図である。
【図８】図１に示される基板側コネクタと配線板状部材とについての、基板側コネクタに対して配線板状部材が嵌合接続された状態を部分的に示す部分断面図である。
【発明を実施するための形態】
【００２６】
本発明を実施するための形態は、以下に述べられる本発明についての実施例をもって説明される。
【実施例】
【００２７】
図１は、本発明に係る配線端子接続装置の一例を構成する主要構成要素である基板側コネクタと配線板状部材とを示す。
【００２８】
図１において、本発明に係る配線端子接続装置の一例を成す配線端子接続装置１０は、主配線基板１１に取り付けられた基板側コネクタ１３と、基板側コネクタ１３に係合連結される、例えば、フレキシブル印刷配線基板とされる配線板状部材１４とを含んで構成される。基板側コネクタ１３は、主配線基板１１に固定される絶縁ハウジング１５と絶縁ハウジング１５に配された複数のコンタクト１６とを備えている。また、配線板状部材１４には、基板側コネクタ１３における絶縁ハウジング１５の外周に嵌合する嵌合孔を形成し、嵌合孔を絶縁ハウジング１５の外周に嵌合させる状態をもって基板側コネクタ１３に係合する係合部１７が設けられている。
【００２９】
基板側コネクタ１３の絶縁ハウジング１５は、矩形透孔１８を形成する矩形枠状体を成すものとされていて、その矩形枠状体における矩形透孔１８を挟んで対向して互いに平行に伸びる一対の長辺部１５ａ及び１５ｂの夫々に、その長手方向に沿って複数のコンタクト１６が配列配置されて設けられている。複数のコンタクト１６の夫々は、絶縁ハウジング１５が形成する矩形透孔１８内において、主配線基板１１に設けられた配線端子部（図示が省略されている。）に接続される基板接続部１９と、絶縁ハウジング１５の外面部１５ｃからその外部に突出する接触係合部２０とを有している。
【００３０】
また、基板側コネクタ１３は、絶縁ハウジング１５を主配線基板１１に固定する一対の固定金属部材２１Ａ及び２１Ｂを備えている。固定金属部材２１Ａは、絶縁ハウジング１５が成す矩形枠状体における矩形透孔１８を挟んで対向して互いに平行に伸びる一対の短辺部１５ｄ及び１５ｅのうちの短辺部１５ｄにその外側から係合して絶縁ハウジング１５を保持しており、固定金属部材２１Ｂは、絶縁ハウジング１５が成す矩形枠状体における一対の短辺部１５ｄ及び１５ｅのうちの短辺部１５ｅにその外側から係合して絶縁ハウジング１５を保持している。そして、固定金属部材２１Ａは、基板連結部２２Ａが主配線基板１１における半田付部（図示が省略されている。）に半田付けされて、主配線基板１１に取り付けられる。同様に、固定金属部材２１Ｂは、基板連結部２２Ｂが主配線基板１１における半田付部（図示が省略されている。）に半田付けされて、主配線基板１１に取り付けられる。
【００３１】
固定金属部材２１Ａは、例えば、弾性を有した金属板材に打抜き屈曲加工が施されて形成され、絶縁ハウジング１５における短辺部１５ｄの外方に配される弾性折返部２３Ａが設けられており、弾性折返部２３Ａには、配線板状部材１４を係止するための一対の係止部２４Ａが、外部に向かって突出するものとして形成されている。同様に、固定金属部材２１Ｂも、例えば、弾性を有した金属板材に打抜き屈曲加工が施されて形成され、絶縁ハウジング１５における短辺部１５ｅの外方に配される弾性折返部２３Ｂが設けられており、弾性折返部２３Ｂには、配線板状部材１４を係止するための一対の係止部２４Ｂが、外部に向かって突出するものとして形成されている。
【００３２】
配線板状部材１４は、図２において互いに分離されて示される、板状部材本体３０と板状部材本体３０に重ねられるものとされる補強部材３１とを含んで構成されている。板状部材本体３０に補強部材３１が重ねられたもとにあっては、配線板状部材１４における係合部１７が形成する嵌合孔は、板状部材本体３０と補強部材３１との両者を貫通するものとなる。
【００３３】
板状部材本体３０には、図２に示されるように、配線板状部材１４における係合部１７が成す嵌合孔を形成する板状部材貫通孔３２が設けられている。さらに、板状部材本体３０は、図２に示される第１の面３３ａと図３に示される第２の面３３ｂとを、対を成す相互平行面として有している。そして、図２に示される第１の面３３ａに補強部材３１が配されて、補強部材３１が板状部材本体３０に重ねられ、図３に示される第２の面３３ｂにおける板状部材貫通孔３２の周囲に、複数の接触配線端子部３４が配列配置されている。板状部材本体３０における、その第２の面３３ｂに複数の接触配線端子部３４が配列配置された板状部材貫通孔３２の周囲部分は、板状部材貫通孔３２を挟んで対向する一対の端子配置部３５を形成している。
【００３４】
補強部材３１には、板状部材本体３０における板状部材貫通孔３２と共に、配線板状部材１４における係合部１７が成す嵌合孔を形成する補強部材貫通孔３６が設けられている。補強部材３１が板状部材本体３０に重ねられたもとにあっては、図１に示されるように、板状部材本体３０における一対の端子配置部３５の夫々における板状部材貫通孔３２に沿って伸びる部分が、補強部材３１に設けられた補強部材貫通孔３６に臨む位置をとるものとされる。それにより、補強部材貫通孔３６を通じて、一対の端子配置部３５の夫々における板状部材貫通孔３２に沿って伸びる部分の第１の面３３ａ側が現れることになる。  
【００３５】
また、補強部材３１における補強部材貫通孔３６の周囲部分には、補強部材貫通孔３６を挟んで対向する一対の係合凹部３７Ａ及び３７Ｂが設けられている。これらの係合凹部３７Ａ及び３７Ｂは、配線板状部材１４における係合部１７が形成する嵌合孔が基板側コネクタ１３における絶縁ハウジング１５の外周に嵌合するとき、基板側コネクタ１３に設けられた一対の係止部２４Ａが係合凹部３７Ａに係合するとともに、基板側コネクタ１３に設けられた一対の係止部２４Ｂが係合凹部３７Ｂに係合することになるものとされている。
【００３６】
このようなもとで、板状部材本体３０に補強部材３１が重ねられて構成された図１に示されるような配線板状部材１４が、主配線基板１１に取り付けられた基板側コネクタ１３に係合連結される際には、先ず、図４に示されるように、配線板状部材１４が、それに設けられた板状部材貫通孔３２及び補強部材貫通孔３６による嵌合孔を形成する係合部１７に、主配線基板１１に固定された基板側コネクタ１３の絶縁ハウジング１５に対応する位置をとらせる状態をもって、主配線基板１１に対して対向配置される。その際、配線板状部材１４の板状部材本体３０における複数の接触配線端子部３４が配された第２の面３３ｂが、主配線基板１１に対面するものとされる。
【００３７】
このとき、図５に示されるように、配線板状部材１４の補強部材３１に設けられた係合凹部３７Ｂが、基板側コネクタ１３の絶縁ハウジング１５における短辺部１５ｅの外方に配される弾性折返部２３Ｂに設けられた係止部２４Ｂに対応する位置をとるものとされる。同様に、配線板状部材１４の補強部材３１に設けられた係合凹部３７Ａも、基板側コネクタ１３の絶縁ハウジング１５における短辺部１５ｄの外方に配される弾性折返部２３Ａに設けられた係止部２４Ａに対応する位置をとるものとされる。
【００３８】
その後、板状部材本体３０における第２の面３３ｂを主配線基板１１に対面させた配線板状部材１４が、主配線基板１１に対して対面近接せしめられて、板状部材貫通孔３２及び補強部材貫通孔３６による嵌合孔を形成する係合部１７が、主配線基板１１に固定された基板側コネクタ１３の絶縁ハウジング１５の外周に嵌合するものとされる。それにより、図６に示されるような、配線板状部材１４が対面近接重ね合わせ連結によって主配線基板１１に電気的に連結された状態が得られる。
【００３９】
配線板状部材１４における係合部１７が形成する嵌合孔が基板側コネクタ１３の絶縁ハウジング１５の外周に嵌合する際には、配線板状部材１４の板状部材本体３０の主配線基板１１への対面近接に伴って、係合部１７を形成する補強部材３１に設けられた補強部材貫通孔３６に臨む位置をとるものとされた、板状部材本体３０における一対の端子配置部３５の夫々における板状部材貫通孔３２に沿って伸びる部分が、主配線基板１１に固定された絶縁ハウジング１５の端縁部分に当接して、補強部材３１に設けられた補強部材貫通孔３６内へと屈曲せしめられ、図７に示されるように、補強部材３１における補強部材貫通孔３６を形成する部分に当接するものとされる。
【００４０】
図６に示されるように配線板状部材１４が対面近接重ね合わせ連結によって主配線基板１１に電気的に連結されたもとにあっては、図７に示されるように、配線板状部材１４の板状部材本体３０における第２の面３３ｂが基板側コネクタ１３の絶縁ハウジング１５における張出部１５ｆに当接して、板状部材本体３０の全体が張出部１５ｆによって支持され、板状部材本体３０における第２の面３３ｂが主配線基板１１に対面する状態が維持される。そして、基板側コネクタ１３の絶縁ハウジング１５における一対の長辺部１５ａ及び１５ｂの夫々に配列配置された複数のコンタクト１６が、各々の接触係合部２０を、板状部材本体３０における第２の面３３ｂに配された接触配線端子部３４に、板状部材本体３０の端子配置部３５における補強部材３１に設けられた補強部材貫通孔３６内へと屈曲せしめられた部分において当接させる。それにより、配線板状部材１４における係合部１７が形成する嵌合孔の周囲に配された複数の接触配線端子部３４の夫々が、基板側コネクタ１３の絶縁ハウジング１５に配された複数のコンタクト１６の各々が有する接触係合部２０に接触接続され、コンタクト１６を介して、主配線基板１１に設けられた配線端子部の電気的に接続される。
【００４１】
また、このとき、図８に示されるように、基板側コネクタ１３の絶縁ハウジング１５における短辺部１５ｅの外方に配される弾性折返部２３Ｂに設けられた係止部２４Ｂが、配線板状部材１４における係合部１７が形成する嵌合孔内に配される弾性折返部２３Ｂからその外部へと突出して、配線板状部材１４の補強部材３１に設けられた係合凹部３７Ｂに係合し、それにより配線板状部材１４を係止する。同様に、基板側コネクタ１３の絶縁ハウジング１５における短辺部１５ｄの外方に配される弾性折返部２３Ａに設けられた係止部２４Ａが、配線板状部材１４における係合部１７が形成する嵌合孔内に配される弾性折返部２３Ａからその外部へと突出して、配線板状部材１４の補強部材３１に設けられた係合凹部３７Ａに弾性係合し、それにより配線板状部材１４を係止する。このようにして、主配線基板１１に対面近接重ね合わせ連結によって電気的に連結された配線板状部材１４が、基板側コネクタ１３に設けられた係止部２４Ａ及び２４Ｂによって係止されることにより、配線板状部材１４の対面近接重ね合わせ連結によって主配線基板１１に電気的に連結された状態が安定に維持される。
【００４２】
上述のような主配線基板１１に取り付けられた基板側コネクタ１３と配線板状部材１４とを含んで構成される配線端子接続装置１０が用いられるもとにあっては、例えば、フレキシブル印刷配線基板とされる配線板状部材１４に設けられた接触配線端子部３４を主配線基板１１に設けられた配線端子部に接続するための、配線板状部材１４が主配線基板１１に対面近接重ね合わせ連結によって電気的に接続された状態が、配線板状部材１４に設けられた係合部１７が形成する嵌合孔が主配線基板１１上に固定された基板側コネクタ１３が備える絶縁ハウジング１５の外周に嵌合せしめられることによりとられるので、基板側コネクタ１３を備えた主配線基板１１と嵌合孔を形成する係合部１７が設けられた配線板状部材１４とを含んだ全体の構成の薄型化を図ることができる。
【００４３】
また、配線端子接続装置１０によれば、配線板状部材１４に設けられた接触配線端子部３４を主配線基板１１に設けられた配線端子部に接続された状態とすべく、配線板状部材１４を主配線基板１１に対面近接させて、配線板状部材１４に設けられた係合部１７が形成する嵌合孔を主配線基板１１上に固定された基板側コネクタ１３が備える絶縁ハウジング１５の外周に嵌合させるにあたり、配線板状部材１４に設けられた係合部１７が形成する嵌合孔を通じて、主配線基板１１上に固定された基板側コネクタ１３が備える絶縁ハウジング１５を、容易かつ明瞭に目視により観察することが可能とされるので、配線板状部材１４に設けられた係合部１７が形成する嵌合孔と主配線基板１１上に固定された基板側コネクタ１３が備える絶縁ハウジング１５との両者を直接的に目視により観察しつつ、配線板状部材１４に設けられた係合部１７が形成する嵌合孔を基板側コネクタ１３が備える絶縁ハウジング１５の外周に嵌合させることができる。その結果、配線板状部材１４の主配線基板１１に対する対面近接重ね合わせ連結を、良好な作業性をもって確実に行うことができるとともに、配線板状部材１４の主配線基板１１に対する対面近接重ね合わせ連結が確実に行われたことを容易に確認することができることになる。
【００４４】
さらに、配線端子接続装置１０によれば、配線板状部材１４に設けられた係合部１７が形成する嵌合孔が主配線基板１１上に固定された基板側コネクタ１３が備える絶縁ハウジング１５の外周に嵌合せしめられると、基板側コネクタ１３に備えられた係止部２４Ａ及び２４Ｂが、絶縁ハウジング１５の外周に嵌合した配線板状部材１４における嵌合孔内から突出し、配線板状部材１４における嵌合孔の周囲部分に設けられた係合凹部３７Ａ及び３７Ｂに弾性係合して配線板状部材１４を係止するので、配線板状部材１４が主配線基板１１に対面近接重ね合わせ連結によって電気的に接続された状態が、堅固かつ安定に維持される。
【産業上の利用可能性】
【００４５】
以上のような本発明に係る配線端子接続装置は、フレキシブル印刷配線基板等の配線板状部材に設けられた配線端子部を主配線基板に設けられた配線端子部に接続された状態とすべく、配線板状部材を対面近接重ね合わせ連結によって主配線基板に電気的に連結するための基板連結機構を成すものであって、主配線基板と配線板状部材とを含んだ全体の構成の薄型化を図ることができ、かつ、配線板状部材の主配線基板に対する対面近接重ね合わせ連結を、良好な作業性をもって確実に行うことができるとともに、配線板状部材の主配線基板に対する対面近接重ね合わせ連結が確実に行われたことを容易に確認することができ、しかも、配線板状部材が主配線基板に対面近接重ね合わせ連結によって電気的に接続された状態が安定に維持されるようにすることも可能なものとして、様々な電子機器等に広く適用され得るものである。
【符号の説明】
【００４６】
１０・・・配線端子接続装置，  １１・・・主配線基板，  １３・・・基板側コネクタ，  １４・・・配線板状部材，  １５・・・絶縁ハウジング，  １５ａ，１５ｂ・・・（絶縁ハウジング１５の）長辺部，  １５ｃ・・・（絶縁ハウジング１５の）外面部，  １５ｄ，１５ｅ・・・（絶縁ハウジング１５の）短辺部，  １５ｆ・・・（絶縁ハウジング１５の）張出部，  １６・・・コンタクト，  １７・・・係合部，  １８・・・矩形透孔，  １９・・・基板接続部，  ２０・・・接触係合部，  ２１Ａ，２１Ｂ・・・固定金属部材，  ２２Ａ，２２Ｂ・・・基板連結部，  ２３Ａ，２３Ｂ・・・弾性折返部，  ２４Ａ，２４Ｂ・・・係止部，  ３０・・・板状部材本体，  ３１・・・補強部材，  ３２・・・板状部材貫通孔，  ３３ａ・・・（板状部材本体３０の）第１の面，  ３３ｂ・・・（板状部材本体３０の）第２の面，  ３４・・・接触配線端子部，  ３５・・・端子配置部，  ３６・・・補強部材貫通孔，  ３７Ａ，３７Ｂ・・・係合凹部
【図１】
0005783372.tif 000002
【図２】
0005783372.tif 000003
【図３】
0005783372.tif 000004
【図４】
0005783372.tif 000005
【図５】
0005783372.tif 000006
【図６】
0005783372.tif 000007
【図７】
0005783372.tif 000008
【図８】
0005783372.tif 000009